(57)【要約】【課題】複数の入力端子の各々から必要に応じて重畳電圧（ブースタ電源やＢＳ・ＣＳアンテナ電源）を取り出すことが可能な混合器を提供する。【解決手段】第一の入力端子２７に入力された第一の信号と第二の入力端子２８に入力された第二の信号とを混合した混合信号を生成する混合信号生成回路（３２、３４）、混合信号を外部へ出力するための及び所定の重畳電圧を外部から入力するための共通入出力端子２９、共通入出力端子２９に入力された重畳電圧を第一の入力端子２７に伝達する第一の伝達回路３６、共通入出力端子２９に入力された重畳電圧を第二の入力端子２８に伝達する第二の伝達回路３３を備え、且つ、第一及び第二の伝達回路３３、３６の各々の伝達経路を個別に断接可能なスイッチ手段（３０、３１）を設ける。【選択図】図２
2004312585.tif 000002
【特許請求の範囲】
【請求項１】
所定周波数帯域の第一の信号を外部から入力するための第一の入力端子と、
前記第一の信号と異なる周波数帯域の第二の信号を外部から入力するための第二の入力端子と、
前記第一の入力端子に入力された第一の信号と前記第二の入力端子に入力された第二の信号とを混合した混合信号を生成する混合信号生成回路と、
前記混合信号生成回路で生成された混合信号を外部へ出力するための及び所定の重畳電圧を外部から入力するための共通入出力端子と、
前記共通入出力端子に入力された外部からの重畳電圧を前記第一の入力端子に伝達する第一の伝達回路と、
前記共通入出力端子に入力された外部からの重畳電圧を前記第二の入力端子に伝達する第二の伝達回路とを備え、
前記第一及び第二の伝達回路の各々の伝達経路を個別に断接可能なスイッチ手段を設けたことを特徴とする混合器。
【請求項２】
前記第一及び第二の信号は、それぞれＶＨＦ放送信号、ＵＨＦ放送信号またはＢＳ・ＣＳ放送信号であることを特徴とする請求項１記載の混合器。
【請求項３】
前記重畳電圧は、ブースタまたはＢＳ・ＣＳアンテナの電源電圧であることを特徴とする請求項１記載の混合器。
【発明の詳細な説明】
【０００１】
【発明の属する技術分野】
本発明は、周波数帯域の異なる複数の信号を入力して、それら複数の信号を混合した一つの信号を出力する混合器（ミキサーともいう）に関し、特に“電流通過型”と呼ばれる混合器に関する。
【０００２】
【従来の技術】
たとえば、テレビジョン放送においては、ＶＨＦやＵＨＦあるいはＢＳ・ＣＳ（衛星）放送など、異なる周波数帯域で放送が行われており、これらの放送の全てまたはそのいくつかを視聴するためには、各々の周波数帯域に適合した専用の受信設備が必要である。
【０００３】
図５は、ＶＨＦとＵＨＦを受信する場合の受信設備の概念図及びＶＨＦとＢＳ・ＣＳ放送を受信する場合の受信設備の概念図である。これらの図において、（ａ）ＶＨＦアンテナ１で受信されたＶＨＦ信号２とＵＨＦアンテナ３で受信されたＵＨＦ信号４は混合器（この場合はＶＨＦ／ＵＨＦ混合器）５で混合され、一つの信号６となって共通伝送路７を介してテレビジョン受信機に伝えられる。また、（ｂ）ＶＨＦアンテナ８で受信されたＶＨＦ信号９とＢＳ・ＣＳアンテナ１０で受信されたＢＳ・ＣＳ信号１１も同様に混合器（この場合はＶＨＦ／ＢＳ・ＣＳ混合器）１２で混合され、一つの信号１３となって共通の伝送路１４を介してテレビジョン受信機に伝えられる。
【０００４】
このように、混合器は、伝送経路の共有化を図り、線路敷設工事等を簡素化できる点で便利な機器であるが、次のような場合に、電源供給のための経路を確保しなければならなかった。
【０００５】
図６は、その概念図である。（ａ）一般にＵＨＦの電波はＶＨＦの電波に比べて減衰が大きいため、大利得のＵＨＦアンテナ３を使用するものの、それでも不十分な場合は、ＵＨＦアンテナ３の直下に信号増幅のためのいわゆるブースタ１５を挿入する。しかし、ブースタ１５は電源を必要とするため、電源供給のための経路を確保しなければならない。また、（ｂ）ＢＳ・ＣＳ放送を受信する場合も、ＢＳ・ＣＳアンテナ１０の受信ヘッド１０ａは電源を必要とするため、やはり電源供給のための経路を確保しなければならない。一般にこれの電源は共通伝送路７の下流に位置する端末側から共通伝送路７に直流もしくは交流電圧を重畳してブースタ１５（やＢＳ・ＣＳアンテナ１０の受信ヘッド１０ａ）に供給している。公知の電流通過型と呼ばれる混合器（たとえば、特許文献１参照）は、このような場合に用いられる。
【０００６】
図７は、電流通過型混合器の構成図（たとえば、図６（ａ）に対応する図）である。この図において、混合器５のＵＨＦ信号入力端子５ａにはブースタ１５を介してＵＨＦアンテナ３が接続されている。また、ＶＨＦ信号入力端子５ｂにはＶＨＦアンテナ１が接続され、さらに、共通入出力端子５ｃにはブースタ電源部１６を介してテレビジョン受信機１７が接続されている。ＵＨＦ信号入力端子５ａと共通入出力端子５ｃの間にはハイパスフィルタ（略号：ＨＰＦ）５ｄと直流伝達回路５ｅが並列に接続されており、また、第二の入力端子５ａと共通入出力端子５ｃの間にはローパスフィルタ（略号：ＬＰＦ）５ｆと直流阻止コンデンサ５ｇが直列に接続されている。
【０００７】
ここに、ハイパスフィルタ５ｄは所定の高周波数帯域の信号を通過させるものであり、この例では、もっぱらＵＨＦ帯の信号を通過させる特性を持つものである。また、ローパスフィルタ５ｆは、所定の低周波数帯域の信号を通過させるものであり、この例では、もっぱらＶＨＦ帯の信号を通過させる特性を持つものである。
【０００８】
直流伝達回路５ｅは、共通入出力端子５ｃとＵＨＦ信号入力端子５ａとの間の直流電圧伝達を行うための経路であり、経路上に挿入されたチョークコイル５ｈは、共通入出力端子５ｃからＵＨＦ信号入力端子５ａへ、またはその逆方向への高周波成分（ＵＨＦ信号やＶＨＦ信号）の回り込みを阻止するためのものである。
【０００９】
このような構成の混合器５によれば、ＵＨＦ信号入力端子５ａに加えられたＵＨＦ信号と、ＶＨＦ信号入力端子５ｂに加えられたＶＨＦ信号とを混合して共通入出力端子５ｃから取り出すことができることに加え、ブースタ電源部１６で作られた直流電圧を、共通入出力端子５ｃから直流伝達回路５ｅ及びＵＨＦ信号入力端子５ａを経てブースタ１５に供給することができる。したがって、混合器５からテレビジョン受信機１７までの間の経路を信号伝送と電源伝送で共有することができ、伝送経路を１本にして、線路敷設工事等を簡素化することができる。なお、図７のようなＶＨＦとＵＨＦの信号を供給するシステムにおいては、直流電圧だけでなく交流電圧を重畳した電源をブースタ等に供給するタイプもある。この場合は、混合器等の伝送路中に設けられる機器内の伝達回路は交流に対応したものになる。
【００１０】
【特許文献１】
特許第２６８９１３３号公報（第２−５頁、第１図）
【００１１】
【発明が解決しようとする課題】
しかしながら、従来の混合器５は、一方の入力端子（ＵＨＦ信号入力端子５ａ）からしか直流電圧（または重畳電圧）を取り出すことができない構造になっているため、たとえば、他方の入力端子（ＶＨＦ信号入力端子５ｂ）にも電源を必要とする機器（ブースタ等）を接続したい場合に、その電源供給路を別途に確保しなければならないという問題点があった。
【００１２】
そこで、本発明は、複数の入力端子の各々から必要に応じて重畳電圧を取り出すことが可能な混合器を提供することを目的とする。
【００１３】
【課題を解決するための手段】
本発明は、所定周波数帯域の第一の信号を外部から入力するための第一の入力端子と、前記第一の信号と異なる周波数帯域の第二の信号を外部から入力するための第二の入力端子と、前記第一の入力端子に入力された第一の信号と前記第二の入力端子に入力された第二の信号とを混合した混合信号を生成する混合信号生成回路と、前記混合信号生成回路で生成された混合信号を外部へ出力するための及び所定の重畳電圧を外部から入力するための共通入出力端子と、前記共通入出力端子に入力された外部からの重畳電圧を前記第一の入力端子に伝達する第一の伝達回路と、前記共通入出力端子に入力された外部からの重畳電圧を前記第二の入力端子に伝達する第二の伝達回路とを備え、前記第一及び第二の伝達回路の各々の伝達経路を個別に断接可能なスイッチ手段を設けたことを特徴とするものである。
この発明では、共通入出力端子に外部から所定の重畳電圧を印可した状態で、第一及び第二の伝達回路のスイッチ手段を共に“接”（ＯＮ）とすれば、第一及び第二の入力端子の双方から上記の重畳電圧が取り出される。または、第一の伝達回路のスイッチ手段だけを“接”（ＯＮ）とすれば、第一の入力端子のみから上記の重畳電圧が取り出され、あるいは、第二の伝達回路のスイッチ手段だけを“接”（ＯＮ）とすれば、第二の入力端子のみから上記の重畳電圧が取り出される。さらに、第一及び第二の伝達回路のスイッチ手段を共に“断”（ＯＦＦ）とすれば、上記の重畳電圧は、いずれの入力端子（第一及び第二の入力端子）からも取り出されない。
したがって、スイッチ手段の断接を適宜に切り換えるだけで、複数の入力端子（第一及び第二の入力端子）の各々から必要に応じて重畳電圧を取り出すことが可能な混合器を提供することができる。
又は、好ましい態様は、さらに、前記第一及び第二の信号は、それぞれＶＨＦ放送信号、ＵＨＦ放送信号またはＢＳ・ＣＳ放送信号であることを特徴とするものである。このようにすると、スイッチ手段の断接を適宜に切り換えるだけで、複数の入力端子（第一及び第二の入力端子）の各々から必要に応じて重畳電圧を取り出すことが可能な、ＶＨＦ／ＵＨＦ混合器またはＶＨＦ／ＢＳ・ＣＳ混合器もしくはＵＨＦ／ＢＳ・ＣＳ混合器を提供することができる。
又は、好ましい態様は、前記重畳電圧は、ブースタまたはＢＳ・ＣＳアンテナの電源電圧であることを特徴とするものである。このようにすると、スイッチ手段の断接を適宜に切り換えるだけで、複数の入力端子（第一及び第二の入力端子）の各々から必要に応じて重畳電圧を取り出すことが可能な混合器を提供でき、その混合器を介してブースタやＢＳ・ＣＳアンテナに電源電圧を供給することができる。
【００１４】
【発明の実施の形態】
以下、本発明の実施の形態を、特に限定しないが、ＶＨＦ／ＵＨＦ混合器を例にして図面を参照しながら説明する。なお、以下の説明における様々な細部の特定ないし実例および数値や文字列その他の記号の例示は、本発明の思想を明瞭にするための、あくまでも参考であって、それらのすべてまたは一部によって本発明の思想が限定されないことは明らかである。また、周知の手法、周知の手順、周知のアーキテクチャおよび周知の回路構成等（以下「周知事項」）についてはその細部にわたる説明を避けるが、これも説明を簡潔にするためであって、これら周知事項のすべてまたは一部を意図的に排除するものではない。かかる周知事項は本発明の出願時点で当業者の知り得るところであるので、以下の説明に当然含まれている。
【００１５】
まず、構成を説明する。
図１は、本実施の形態におけるＶＨＦ／ＵＨＦ混合器（以下、単に混合器という。）の一部破断外観図である。この図において、混合器２０は、屋外設置を考慮した防水型のケース２１の下面２１ａを、ＶＨＦアンテナケーブル２２やＵＨＦアンテナケーブル２３及び宅内ケーブル２４の引き出し部とすると共に、その背面２１ｂを不図示のアンテナポールや壁面等への取り付け部とし、且つ、ケース２１の内部に回路基板２５を実装した構成を有している。
【００１６】
回路基板２５は、ケース２１と一体のプレート２６の上に不図示のボルト等で固定されており、たとえば、プレート２６の一端を折り曲げて、そこに、ＶＨＦアンテナケーブル２２を接続するための第一の入力端子２７や、ＵＨＦアンテナケーブル２３を接続するための第二の入力端子２８、及び宅内ケーブル２４を接続するための共通入出力端子２９を設けている。
【００１７】
回路基板２５には、ＶＨＦ電源用スライドスイッチ３０とＵＨＦ電源用スライドスイッチ３１を含む電子回路が実装されている。これらスライドスイッチ３０、３１の詳細は後述するが、たとえば、ＵＨＦアンテナ３にブースタ１５を接続する場合は、ブースタ電源部１６を介して宅内ケーブル２４に直流電圧（または「重畳電圧」；以下、直流電圧とする。）を加えた状態で、ＵＨＦ電源用スライドスイッチ３１を“接”（ＯＮ）とすることにより、第二の入力端子２８からＵＨＦアンテナケーブル２３を経てブースタ１５に上記の直流電圧を供給できるようになっている。
【００１８】
または、所望によって、ＶＨＦアンテナ１にブースタ（図示略）を接続する場合も同様であり、ブースタ電源部１６を介して宅内ケーブル２４に直流電圧（または「重畳電圧」；以下、直流電圧とする。）を加えた状態で、ＶＨＦ電源用スライドスイッチ３０を“接”（ＯＮ）とすることにより、第一の入力端子２７からＶＨＦアンテナケーブル２２を経てブースタ（図示略）に上記の直流電圧を供給できるようになっている。
【００１９】
もしくは、ＶＨＦ電源用スライドスイッチ３０とＵＨＦ電源用スライドスイッチ３１を共に“接”（ＯＮ）とすれば、第一の入力端子２７と第二の入力端子２８の両方から上記の直流電圧を取り出すことができ、あるいは、ＶＨＦ電源用スライドスイッチ３０とＵＨＦ電源用スライドスイッチ３１を共に“断”（ＯＦＦ）とすれば、第一の入力端子２７と第二の入力端子２８のいずれからも、上記の直流電圧を取り出さないようにすることができるようになっている。
【００２０】
図２は、混合器２０の電子回路の構成図である。この図において、第二の入力端子２８と共通入出力端子２９の間には、ハイパスフィルタ３２（混合信号生成回路）と第二の直流伝達回路（第二の伝達回路）３３が並列に接続されている。また、第一の入力端子２７と共通入出力端子２９の間には、ローパスフィルタ３４（混合信号生成回路）と直流阻止コンデンサ３５が直列に接続されていると共に、その直列回路と並列に第一の直流伝達回路（第一の伝達回路）３６が接続されている。
【００２１】
ハイパスフィルタ３２は、所定の高周波数帯域の信号を通過（高域ろ波）させるものであり、この例の場合は、もっぱらＵＨＦ帯の信号を通過させる特性を持つものである。ハイパスフィルタ３２の構造は様々なものが知られているが、ここでは、Ｌ（コイル）とＣ（コンデンサ）を用いた微分型のものを示している。すなわち、図示のハイパスフィルタ３２は、第二の入力端子２８と共通入出力端子２９の間に２個のコンデンサ３２ａ、３２ｂを直列に接続すると共に、それら２個のコンデンサ３２ａ、３２ｂの接続点とグランドの間にコイル３２ｃを接続し、且つ、第二の入力端子２８とグランドの間に各々１個のコンデンサ３２ｄとコイル３２ｅを直列に接続して構成している。
【００２２】
一方、ローパスフィルタ３４は、所定の低周波数帯域の信号を通過（低域ろ波）させるものであり、この例の場合は、もっぱらＶＨＦ帯の信号を通過させる特性を持つものである。ローパスフィルタ３４の構造も様々なものが知られているが、ここでは、ＬとＣを用いた積分型のものを示している。すなわち、図示のローパスフィルタ３４は、第一の入力端子２７と直流阻止コンデンサ３５の一端との間に２個のコイル３４ａ、３４ｂを直列に接続すると共に、それら２個のコイル３４ａ、３４ｂの接続点とグランドの間にコンデンサ３４ｃを接続し、且つ、第一の入力端子２７とグランドの間に各々１個のコンデンサ３４ｄとコイル３４ｅを直列に接続して構成している。
【００２３】
図３は、ハイパスフィルタ３２とローパスフィルタ３４の周波数特性を示す図である。この図において、横軸は周波数、縦軸は損失を表している。周波数軸の左端は周波数０の点（つまり直流分）を示し、また、損失軸は図面の上に行くほど損失が大きくなることを示している。
【００２４】
実線で示す特性線Ａはハイパスフィルタ３２のものである。この特性線Ａは、直流分からおよそ３００ＭＨｚ程度にかけて最大の損失を持ち、ほぼ４００ＭＨｚを超える高周波域で最低の損失になっており、この高周波数域（約４００ＭＨｚ以上）を通過周波数帯とするものである。また、波線で示す特性線Ｂはローパスフィルタ３４のものである。この特性線Ｂは、ほぼ４００ＭＨｚ以上で最大の損失を持ち、直流分からおよそ３００ＭＨｚ程度の低周波数域で最低の損失になっており、この低周波数域（０〜約３００ＭＨｚ）を通過周波数帯とするものである。
【００２５】
直流阻止コンデンサ３５は、ローパスフィルタ３４の通過周波数特性（特性線Ｂ）のうち直流分の通過を阻止するためのものである。
【００２６】
第二の直流伝達回路３３は、外部から共通入出力端子２９に入力された所定の直流電圧を第二の入力端子２８に伝達するための回路であり、その回路中に挿入されたスイッチ手段（ＵＨＦ電源用スライドスイッチ３１）を有する点に特徴がある。すなわち、第二の直流伝達回路３３は、第二の入力端子２８と共通入出力端子２９の間に二つのチョークコイル３３ａ、３３ｂを直列に接続すると共に、その接続点をＵＨＦ電源用スライドスイッチ３１によって断接可能にし、且つ、第二の入力端子２８側のチョークコイル３３ａの一端（図面に向かって右端）とグランドの間にコンデンサ３３ｃを接続して構成されている。
二つのチョークコイル３３ａ、３３ｂとコンデンサ３３ｃは、ＵＨＦ信号やＶＨＦ信号などの信号成分の通過を阻止するために設けられている。図面右方のチョークコイル３３ｂは、ローパスフィルタ３４を通った低周波信号の通過を阻止するためのものであり、たとえば、強磁性体に銅線を巻回して構成した高インダクタンス値のものが用いられる。また、図面左方のチョークコイル３３ａは、ハイパスフィルタ３２を通った高周波信号の通過を阻止するためのものであり、たとえば、プリント基板上に形成されたパターンコイル等の低インダクタンス値のものが用いられる。
【００２７】
このように、第二の直流伝達回路３３は、第二の入力端子２８と共通入出力端子２９の間に直列に入れられた二つのチョークコイル３３ａ、３３ｂのインダクタンス値によって、ＵＨＦ信号やＶＨＦ信号などの信号成分の通過を阻止することができる一方、それらのインダクタンス値は直流成分に対する抵抗分として働かないので、第二の入力端子２８と共通入出力端子２９の間の直流成分（上記の直流電圧）の伝達経路として機能することができる。
しかも、第二の直流伝達回路３３の回路中にＵＨＦ電源用スライドスイッチ３１が挿入されているため、同伝達経路の形成を必要に応じて行うことができる。つまり、第二の入力端子２８と共通入出力端子２９の間に直流成分（上記の直流電圧）の伝達経路を形成したい場合は、ＵＨＦ電源用スライドスイッチ３１を接状態にすればよく、その逆に、第二の入力端子２８と共通入出力端子２９の間に直流成分（上記の直流電圧）の伝達経路を形成したくない場合は、ＵＨＦ電源用スライドスイッチ３１を断状態にすればよい。
【００２８】
一方、第一の直流伝達回路３６は、外部から共通入出力端子２９に入力された所定の直流電圧を第一の入力端子２７に伝達するための回路であり、その回路中に挿入されたスイッチ手段（ＶＨＦ電源用スライドスイッチ３０）を有する点に特徴がある。すなわち、第一の直流伝達回路３６は、第一の入力端子２７と共通入出力端子２９の間に二つのチョークコイル３６ａ、３６ｂを直列に接続すると共に、その接続点をＶＨＦ電源用スライドスイッチ３０によって断接可能にし、且つ、第一の入力端子２７側のチョークコイル３６ａの一端（図面に向かって右端）とグランドの間にコンデンサ３６ｃを接続して構成されている。
二つのチョークコイル３６ａ、３６ｂとコンデンサ３６ｃは、ＵＨＦ信号やＶＨＦ信号などの信号成分の通過を阻止するために設けられている。図面右方のチョークコイル３６ｂは、ローパスフィルタ３４を通った低周波信号の通過を阻止するためのものであり、たとえば、強磁性体に銅線を巻回して構成した高インダクタンス値のものが用いられる。また、図面左方のチョークコイル３６ａは、ハイパスフィルタ３２を通った高周波信号の通過を阻止するためのものであり、たとえば、プリント基板上に形成されたパターンコイル等の低インダクタンス値のものが用いられる。
【００２９】
このように、第一の直流伝達回路３６は、第一の入力端子２７と共通入出力端子２９の間に直列に入れられた二つのチョークコイル３６ａ、３６ｂのインダクタンス値によって、ＵＨＦ信号やＶＨＦ信号などの信号成分の通過を阻止することができる一方、それらのインダクタンス値は直流成分に対する抵抗分として働かないので、第一の入力端子２７と共通入出力端子２９の間の直流成分（上記の直流電圧）の伝達経路として機能することができる。
しかも、第一の直流伝達回路３６の回路中にＶＨＦ電源用スライドスイッチ３０が挿入されているため、同伝達経路の形成を必要に応じて行うことができる。つまり、第一の入力端子２７と共通入出力端子２９の間に直流成分（上記の直流電圧）の伝達経路を形成したい場合は、ＶＨＦ電源用スライドスイッチ３０を接状態にすればよく、その逆に、第一の入力端子２７と共通入出力端子２９の間に直流成分（上記の直流電圧）の伝達経路を形成したくない場合は、ＶＨＦ電源用スライドスイッチ３０を断状態にすればよい。
【００３０】
次に、混合器２０の使用ケースごとにその作用を説明する。
（ケース１：ＵＨＦブースタを使用する）
図１に示すように、混合器２０の第一の入力端子２７に、ＶＨＦアンテナケーブル２２を介してＶＨＦアンテナ１を接続し、第二の入力端子２８に、ＵＨＦアンテナケーブル２３を介してブースタ１５とＵＨＦアンテナ３を接続し、さらに、共通入出力端子２９に、宅内ケーブル２４を介してブースタ電源部１６とテレビジョン受信機（不図示）を接続して使用するケースを考える。
【００３１】
ブースタ電源部１６の電源プラグ１６ａを宅内の壁面等に設けられた商用コンセント（不図示）に差し込むと、ブースタ電源部１６で所定の直流電圧が作られ、この直流電圧が宅内ケーブル２４を介して混合器２０の共通入出力端子２９に加えられる。
【００３２】
今、混合器２０のＶＨＦ電源用スライドスイッチ３０を“断”にすると共に、ＵＨＦ電源用スライドスイッチ３１を“接”にすると、共通入出力端子２９に加えられた直流電圧は、ＵＨＦ電源用スライドスイッチ３１を含む図２の経路Ｃを通って、第二の入力端子２８に伝えられる。したがって、この第二の入力端子２８には、ＵＨＦアンテナケーブル２３を介してブースタ１５が接続されているから、ブースタ電源部１６で作られた直流電圧をブースタ１５に支障なく供給することができる。また、この場合は、ＶＨＦ電源用スライドスイッチ３０が“断”になっているため、上記の直流電圧が第一の入力端子２７に現れることがなく、したがって、ショート等の不都合を招くこともない。
【００３３】
（ケース２：ＶＨＦブースタを使用する）
図示は略すが、混合器２０の第一の入力端子２７に、ＶＨＦアンテナケーブル２２を介して不図示のブースタとＶＨＦアンテナ１を接続し、第二の入力端子２８に、ＵＨＦアンテナケーブル２３を介してＵＨＦアンテナ３を接続し、さらに、共通入出力端子２９に、宅内ケーブル２４を介してブースタ電源部１６とテレビジョン受信機（不図示）を接続して使用するケースを考える。
【００３４】
ブースタ電源部１６の電源プラグ１６ａを宅内の壁面等に設けられた商用コンセント（不図示）に差し込むと、ブースタ電源部１６で所定の直流電圧が作られ、この直流電圧が宅内ケーブル２４を介して混合器２０の共通入出力端子２９に加えられる。
【００３５】
今、混合器２０のＶＨＦ電源用スライドスイッチ３０を“接”にすると共に、ＵＨＦ電源用スライドスイッチ３１を“断”にすると、共通入出力端子２９に加えられた直流電圧は、ＶＨＦ電源用スライドスイッチ３０を含む図２の経路Ｄを通って、第一の入力端子２７に伝えられる。したがって、この第一の入力端子２７には、ＶＨＦアンテナケーブル２２を介してブースタが接続されているから、ブースタ電源部１６で作られた直流電圧をブースタに支障なく供給することができる。また、この場合は、ＵＨＦ電源用スライドスイッチ３１が“断”になっているため、上記の直流電圧が第二の入力端子２８に現れることがなく、したがって、ショート等の不都合を招くこともない。
【００３６】
（ケース３：ＵＨＦブースタ及びＶＨＦブースタを共に使用する）
このケースは、上記のケース１とケース２の組み合わせである。すなわち、混合器２０の第一の入力端子２７に、ＶＨＦアンテナケーブル２２を介して不図示のブースタとＶＨＦアンテナ１を接続し、第二の入力端子２８に、ＵＨＦアンテナケーブル２３を介してブースタ１５とＵＨＦアンテナ３を接続し、さらに、共通入出力端子２９に、宅内ケーブル２４を介してブースタ電源部１６とテレビジョン受信機（不図示）を接続して使用するケースである。
【００３７】
ブースタ電源部１６の電源プラグ１６ａを宅内の壁面等に設けられた商用コンセント（不図示）に差し込むと、ブースタ電源部１６で所定の直流電圧が作られ、この直流電圧が宅内ケーブル２４を介して混合器２０の共通入出力端子２９に加えられる。
【００３８】
今、混合器２０のＶＨＦ電源用スライドスイッチ３０を“接”にすると共に、ＵＨＦ電源用スライドスイッチ３１も“接”にすると、共通入出力端子２９に加えられた直流電圧は、ＵＨＦ電源用スライドスイッチ３１を含む図２の経路Ｃと、ＶＨＦ電源用スライドスイッチ３０を含む図２の経路Ｄを通って、第一の入力端子２７と第二の入力端子２８の両方に伝えられる。したがって、第一の入力端子２７には、ＶＨＦアンテナケーブル２２を介して不図示のブースタが接続されており、且つ、第二の入力端子２８には、ＵＨＦアンテナケーブル２３を介してブースタ１５が接続されているから、ブースタ電源部１６で作られた直流電圧をＵＨＦとＶＨＦの両方のブースタに支障なく供給することができる。
【００３９】
（ケース４：ＵＨＦブースタ及びＶＨＦブースタを共に使用しない）
このケースは、ＵＨＦ及びＶＨＦ共に電波状態が良好な場合のケースである。すなわち、混合器２０の第一の入力端子２７に、ＶＨＦアンテナケーブル２２を介してＶＨＦアンテナ１を接続し、第二の入力端子２８に、ＵＨＦアンテナケーブル２３を介してＵＨＦアンテナ３を接続し、さらに、共通入出力端子２９に、宅内ケーブル２４を介してテレビジョン受信機（不図示）を接続して使用するケースである。
【００４０】
今、混合器２０のＶＨＦ電源用スライドスイッチ３０を“断”にすると共に、ＵＨＦ電源用スライドスイッチ３１も“断”にすると、共通入出力端子２９と第一及び第二の入出力端子２７、２８の間の直流伝達経路（図２の経路Ｃ、Ｄ）は共に遮断される。したがって、第一の直流伝達回路３６と第二の直流伝達回路３３の存在は無視され、混合器２０の動作に何らの影響も与えない。
【００４１】
このように、本実施の形態の混合器２０によれば、別途に直流電圧用の伝達路を確保せずに、二つのスイッチ手段（ＶＨＦ電源用スライドスイッチ３０とＵＨＦ電源用スライドスイッチ３１）の断接を切り換えるだけで、共通入出力端子２９に加えられた直流電圧を第一の入力端子２７だけから取り出したり、第二の入力端子２８だけから取り出したり、または、その双方から取り出したり、あるいは、いずれからも取り出さないようにしたりすることができる。したがって、上記のケース１〜４に応じて（つまりユーザの所望に応じて）自由に直流電圧の伝達経路を切り換えることができる利便性の高い混合器２０を提供することができる。
【００４２】
なお、以上の説明では、直流電圧を必要とする機器を“ブースタ”としたが、これに限定されないことはもちろんである。たとえば、ＢＳ・ＣＳアンテナ等の他の機器であってもよい。
また、以上の説明では、ＶＨＦとＵＨＦの混合器を例にしたが、たとえば、ＶＨＦとＢＳ・ＣＳまたはＵＨＦとＢＳ・ＣＳの混合器であってもよい。要は、周波数帯域の異なる複数の信号を入力して、それら複数の信号を混合した一つの信号を出力する混合器であればよい。
【００４３】
また、以上の説明では、スイッチ手段を、スライド方式のスイッチ（ＶＨＦ電源用スライドスイッチ３０やＵＨＦ電源用スライドスイッチ３１）で実現しているが、これに限定されない。他の方法で接点をオンオフするスイッチであってもよく、あるいは、スイッチ以外のものであってもよい。
図４は、スイッチ手段の他の例を示す図であり、いわゆるジャンパー方式のものである。この図において、パターン４０の先には第二の直流伝達回路３３の一方のチョークコイル３３ａが接続されており、パターン４１の先には第二の直流伝達回路３３の他方のチョークコイル３３ｂが接続されている。
【００４４】
パターン４０、４１にはそれぞれピン４２、４３が取り付けられている。これらのピン４２、４３にジャンパー体４４を差し込むと、ジャンパー体４４の導電部４４ａ、４４ｂ、４４ｃを介して両パターン４０、４１の間が電気的に接続（スイッチ手段の“接”に相当）される。また、ジャンパー体４４を一方のピン（たとえば、ピン４２）だけに差し込む（一点鎖線参照）と、両パターン４０、４１の間が電気的に絶縁（スイッチ手段の“断”に相当）される。
【００４５】
なお、図４においては、第二の直流伝達回路３３への適用例を示しているが、第一の直流伝達回路３６へ適用する場合も同様である。すなわち、その場合は、パターン４０の先に第一の直流伝達回路３６の一方のチョークコイル３６ａを接続し、パターン４１の先に第一の直流伝達回路３６の他方のチョークコイル３６ｂを接続すればよい。
【００４６】
また、上記の実施の形態では、ケーブルに直流電圧を重畳して各種のブースタに電源を供給したが、これに限らない。たとえば、交流電圧を重畳してブースタ用電源を供給するタイプにも適用できる。この場合には、電圧の伝達回路に交流対応のものを使用すればよい。
【００４７】
【発明の効果】
この発明によれば、共通入出力端子に外部から所定の重畳電圧を印可した状態で、第一及び第二の伝達回路のスイッチ手段を共に“接”（ＯＮ）とすれば、第一及び第二の入力端子の双方から上記の重畳電圧が取り出される。または、第一の伝達回路のスイッチ手段だけを“接”（ＯＮ）とすれば、第一の入力端子のみから上記の重畳電圧が取り出され、あるいは、第二の伝達回路のスイッチ手段だけを“接”（ＯＮ）とすれば、第二の入力端子のみから上記の重畳電圧が取り出される。さらに、第一及び第二の伝達回路のスイッチ手段を共に“断”（ＯＦＦ）とすれば、上記の重畳電圧は、いずれの入力端子（第一及び第二の入力端子）からも取り出されない。
したがって、スイッチ手段の断接を適宜に切り換えるだけで、複数の入力端子（第一及び第二の入力端子）の各々から必要に応じて重畳電圧を取り出すことが可能な混合器を提供することができる。
又は、好ましい態様によれば、さらに、前記第一及び第二の信号は、それぞれＶＨＦ放送信号、ＵＨＦ放送信号またはＢＳ・ＣＳ放送信号であることを特徴とするので、スイッチ手段の断接を適宜に切り換えるだけで、複数の入力端子（第一及び第二の入力端子）の各々から必要に応じて重畳電圧を取り出すことが可能な、ＶＨＦ／ＵＨＦ混合器またはＶＨＦ／ＢＳ・ＣＳ混合器もしくはＵＨＦ／ＢＳ・ＣＳ混合器を提供することができる。
又は、好ましい態様によれば、前記重畳電圧は、ブースタまたはＢＳ・ＣＳアンテナの電源電圧であることを特徴とするので、スイッチ手段の断接を適宜に切り換えるだけで、複数の入力端子（第一及び第二の入力端子）の各々から必要に応じて重畳電圧を取り出すことが可能な混合器を提供でき、その混合器を介してブースタやＢＳ・ＣＳアンテナに電源電圧を供給することができる。
【図面の簡単な説明】
【図１】本実施の形態におけるＶＨＦ／ＵＨＦ混合器の一部破断外観図である。
【図２】混合器２０の電子回路の構成図である。
【図３】ハイパスフィルタ３２とローパスフィルタ３４の周波数特性を示す図である。
【図４】スイッチ手段の他の例を示す図である。
【図５】ＶＨＦとＵＨＦを受信する場合の受信設備の概念図及びＶＨＦとＢＳ・ＣＳ放送を受信する場合の受信設備の概念図である。
【図６】電源供給のための経路を確保しなければならない場合の概念図である。
【図７】従来の電流通過型混合器の構成図である。
【符号の説明】
２７  第一の入力端子
２８  第二の入力端子
２９  共通入出力端子
３０  ＶＨＦ電源用スライドスイッチ（スイッチ手段）
３１  ＵＨＦ電源用スライドスイッチ（スイッチ手段）
３２  ハイパスフィルタ（混合信号生成回路）
３３  第二の直流伝達回路（第二の伝達回路）
３４  ローパスフィルタ（混合信号生成回路）
３６  第一の直流伝達回路（第一の伝達回路）
４２  ピン（スイッチ手段）
４３  ピン（スイッチ手段）
４４  ジャンパー体（スイッチ手段）
【図１】
2004312585.tif 000003
【図２】
2004312585.tif 000004
【図３】
2004312585.tif 000005
【図４】
2004312585.tif 000006
【図５】
2004312585.tif 000007
【図６】
2004312585.tif 000008
【図７】
2004312585.tif 000009